(57)【要約】【課題】  本考案は紙製で経済的に制作できるとともに、運搬が容易であって使い勝手のよい使い捨て可能な擬似体験用簡易めがねを提供する。【解決手段】  本考案は、２個のめがね孔１１３を備えためがね本体１１と、該めがね本体の両側に側部被覆部１３を連設した疑似体験用簡易めがねを紙製で形成している。そして、２個のめがね孔はフイルター２０で被覆されるとともに、めがね本体の上部には額とめがね本体との間隙を被覆する上部被覆部１１１を、めがね本体の下部には頬とめがね本体との間隙を被覆する下部被覆部１１５をそれぞれ折り曲げ自在に連設し、めがね孔を被覆するフイルターは黄色に着色されたもの、またはシルク印刷により不透明なまだら模様が形成されたものを用いて、白内障疾患の状況と視野欠損疾患の状況を体験できる構成となっている。【選択図】      図２
0003105983.tif 000002
【実用新案登録請求の範囲】
【請求項１】
２個のめがね孔を備えためがね本体と、該めがね本体の両側に側部被覆部を連設した紙製の疑似体験用簡易めがねであって、
２個のめがね孔はフイルタで被覆されるとともに、めがね本体の上部には額とめがね本体との間隙を被覆する上部被覆部を、めがね本体の下部には頬とめがね本体との間隙を被覆する下部被覆部をそれぞれ折り曲げ自在に連設し、
めがね孔を被覆するフイルタは第１のフイルタと第２のフイルタを重合して構成され、第１のフイルタは黄色に着色され、第２のフイルタはシルク印刷により不透明なまだら模様が形成されており、白内障疾患の状況と視野欠損疾患の状況を体験できるよう構成されてなる疑似体験用簡易めがね。
【請求項２】
２個のめがね孔を備えためがね本体と、該めがね本体の両側に側部被覆部を連設した紙製の疑似体験用簡易めがねであって、
２個のめがね孔はフイルタで被覆されるとともに、めがね本体の上部には額とめがね本体との間隙を被覆する上部被覆部を、めがね本体の下部には頬とめがね本体との間隙を被覆する下部被覆部をそれぞれ折り曲げ自在に連設し、１個のめがね孔は黄色に着色したフイルタで被覆され、他の１個はシルク印刷で不透明なまだら模様を形成したフイルタで被覆され、左右のめがね孔で白内障疾患の状況と視野欠損疾患の状況の異なる疾患を体験できるよう構成されてなる疑似体験用簡易めがね。
【請求項３】
前記めがね孔は、孔の横幅寸法≦目の横幅寸法に形成し、視野狭窄を体験できるよう構成してなる請求項１または２記載の疑似体験用簡易めがね。
【請求項４】
フイルタの不透明なまだら模様は、模様の形成密度を変化させることにより視野欠損の度合いを変化させることができる請求項１または２記載の疑似体験用簡易めがね。
【考案の詳細な説明】
【技術分野】
【０００１】
本考案は視覚機能が衰えた状況を疑似体験するためのめがねに関する。
【背景技術】
【０００２】
医療技術の発達により平均寿命が延びますます高齢化が進む傾向にある。そして、少子化が進み人口構成比率が変り、高齢者の割合が大きくなるにつれ、介助・介護を必要とする人々を少ない人数で介助・介護しなければならない状況となっている。介助・介護にあたり、少人数でのより適切、的確な介助・介護をすることにより、介助・介護者には省エネルギーとなり、被介助・被介護人にとっては満足度の高いものとなる。
また、情報は８０％が視覚から入ると言われているが、人間は加齢に伴い視覚機能が低下する。例えば、眼球のレンズを調節する筋力の低下から、遠景視力、あるいは近景視力の低下、または動いているものの認識の低下が起こる。さらに白内障のように水晶体が濁ってゆく病気の症状の特徴は、かすんでみえる・ぼやけて見える・水晶体が濁り、かつ黄色に着色してくるので、黄白色のフイルターをかけたような見え方となり、特に暗いところでは見えにくい、などの現象が起こる。
このような視覚の不具合を有する人々に対し、健常者が行動を介助するに当たり、実際にそれらの不具合を体験して実情を知り、高齢者、視覚障害者への思いやりを深めるとともに、どのような介助をすることが最良であるかを知る必要が生じていた。
【０００３】
そこで、擬似体験用のゴーグルが開発され、また、下記の特許文献に視機能低下シュミレータや白内障疑似体験装置が開示されている。
【特許文献１】特開平１１−８５００３号公報
【特許文献２】特開平１１−１１９６３８号公報
【考案の開示】
【考案が解決しようとする課題】
【０００４】
従来より開発されている擬似体験用のゴーグルはフレームが硬く顔面にフイットせず、浮いている端面から光が入ったり、外部が見えるなど、老化や視覚障害の疑似体験の効果が希釈化されてしまった。また、制作費用がかかるため、高価となり、疑似体験できる人数も少なくなってしまう不具合が生じていた。
さらに、擬似体験用のゴーグルは繰り返し使用のため、フレームに付着した前に使用した人の汗・油などを使用毎に消毒・除菌処理を必要とし、保守・管理に手間がかかった。
【０００５】
そこで、本考案は紙製で経済的に制作できるとともに、運搬が容易であって使い勝手のよい使い捨て可能な擬似体験用簡易めがねを提供する。
【課題を解決するための手段】
【０００６】
上記課題を解決するため、本考案は、２個のめがね孔を備えためがね本体と、該めがね本体の両側に側部被覆部を連設した疑似体験用簡易めがねを紙製で形成している。そして、２個のめがね孔はフイルターで被覆されるとともに、めがね本体の上部には額とめがね本体との間隙を被覆する上部被覆部を、めがね本体の下部には頬とめがね本体との間隙を被覆する下部被覆部をそれぞれ折り曲げ自在に連設し、めがね孔を被覆するフイルターは黄色に着色されたもの、またはシルク印刷により不透明なまだら模様が形成されたものを用いて、白内障疾患の状況と視野欠損疾患の状況を体験できるよう構成されている。
【考案の効果】
【０００７】
本考案は紙製で経済的に制作できるとともに、運搬が容易であって、使用に際しては折れ曲がりやすいので、顔面にフイットしやすく使い捨て（持ち帰り）可能である。また、黄色のフイルターと不透明なまだら模様を形成したフルタとによりめがねをかけることにより白内障・視野欠損の擬似体験ができ、高齢者・視覚障害者への思いやりを深め、介助・介護のポイントを会得する人口を増加させることができる。
【考案を実施するための最良の形態】
【０００８】
以下、本考案を実施するための最良の形態を図面を参照して詳細に説明する。
図１は本考案に係る疑似体験用簡易めがねの正面図、図２は裏面図である。
めがね本体１０は紙、あるいは表面をコーテイングした紙、または薄いプラスチックシートで形成する。
めがね本体１０はめがね部１１、側部被覆部１３、取り付け部１５を連結して備えている。
【０００９】
めがね部１１は横幅Ｌ１を通常の大人の顔横幅寸法、この実施例ではほぼ１４．５ｃｍ、縦寸法Ｌ２を額から頬部分を被覆できる寸法、ほぼ９ｃｍとしている。めがね部１１の上部には折り線１２を介して上部被覆部１１１を形成している。折り線１２の下部には、２個のめがね孔１１３を穿孔している。めがね部１１の下端両端には下部折線１７を介して下部被覆部１１５を２つ突設させ、中央部分を繰り抜いて凹部１１７としている。
めがね部１１の両側には複数本の側部折線１４を介して側部被覆部１３を連設する。側部折線１４はこの実施例では３本（１４ａ，１４ｂ，１４ｃ）平行に形成して、寸法調整を可能としている。側部被覆部１３は顔面の頬から耳付け根部分を被覆できる大きさとする。
【００１０】
側部被覆部１３に取り付け部１５が連設されている。
取り付け部１５は、細テープ形状をなし、先端部分にはゴムなどの調整紐の係止部１６を複数箇所設けている。
２個のめがね孔１１３はその孔の幅寸法Ｗを通常の大人の目の横幅寸法かそれよりも小さい寸法としている。また、めがね孔１１３の縦寸法ｗを通常の大人の目の縦寸法としている。この実施例では、例えば横幅寸法Ｗを３．４ｃｍ、縦寸法ｗを１．３ｃｍとしている。
【００１１】
２個のめがね孔１１３はフイルターで被覆されている。フイルター２０は第１のフイルター２０Ａと第２のフイルター２０Ｂを重合して構成されている。・・図３、図４参照
第１のフイルター２０Ａは黄色の透明シート、第２のフイルター２０Ｂは透明シートにシルク印刷でまだらの不透明模様２００を形成している。
第１のフイルター２０Ａと第２のフイルター２０Ｂを重合したとき、黄の着色により、透明度が落ち、白内障疾患により水晶体が白濁した状態を構成している。また、第２のフイルター２０Ｂの不透明なまだら模様２００は、見え難くい状況を作り、視野欠損状態を構成している。
【００１２】
このように構成されているめがね本体１０の使用を説明する。・・図５・図６参照
めがね部１１を顔面に当て、使用者Ｐの顔寸法に合わせて側部折線１４から折り曲げ、側部被覆部１３で顔面の頬から耳付け根部分を被覆する。そして、取り付け部１５の係止部１６に調整紐１６０を係止し、頭部にめがね本体１０を取り付ける。このとき、めがね本体１０と額との間隙を、上部被覆部１１１を折り曲げて覆う。凹部１１７で鼻部を回避して頬部をめがね部１１が被覆する。このとき、めがね着用者、あるいは頬とめがね部１１との間隙が大きい場合は下部被覆部１１５を内側に折り曲げて間隙を封ずる。
【００１３】
このように着用しためがね本体１０はめがね孔１１３が両目部分に一致し、顔面とめがね本体１０との隙間部分はめがね部１１、側部被覆部１３、上被覆部１１１、下被覆部１１５で被覆されることとなり、外光がめがね部内に差し込む、あるいは隙間から外部が見えることがない。
めがね孔１１３はその横・縦寸法が通常の目と同じあるいは小さく形成されているので、横方向の拡張部分がなく視野狭窄の状況を形成する。また、重ねたフイルター１、２（２０Ａ，２０Ｂ）により、白内障患者の黄白濁と視野欠損状況を形成する。
【００１４】
この実施例では、両めがね孔１１３に同じ状態の２枚のフイルターを重合した例を説明したが、その他、一方のめがね孔は第１のフイルター２０Ａのみとし、もう一方のめがね孔には第１のフイルター２０Ａと、第２のフイルター２０Ｂとを重合した構成とする。この構成により、左右の目が違った疾患を持つ状況を体験できる。
さらに、不透明なまだら模様の形成密度を増減することにより、視野欠損の状態を変化させることが可能となる。
【００１５】
本考案の紙製の擬似体験簡易めがねは、平板形状で提供されるものであるから、重ねて運搬・持ち運びができ、大量のめがねの移動が容易となる。さらに、紙製の疑似体験用簡易めがねは折れ曲がりやすいので、顔面にフイットしやすく使い捨て（持ち帰り）可能であって、使用不可になるまで何度でも日常の生活圏内での体験を積むことが出来、高齢者・視覚障害者への思いやりを深め、介助・介護のポイントを会得する人口を増加させることができる。
【図面の簡単な説明】
【００１６】
【図１】本考案の擬似体験用簡易めがねの正面図
【図２】本考案の擬似体験用簡易めがねの裏面図
【図３】めがね孔部分の図２線Ｓ−Ｓ断面図
【図４】フイルターの構成説明図
【図５】本考案の擬似体験用簡易めがねの斜視図
【図６】本考案の擬似体験用簡易めがねの使用状態の説明図
【符号の説明】
【００１７】
１０  めがね本体
１１  めがね部
１３  側部被覆部
１４  側部折線
１５  取り付け部
１７  下部折線
２０  フイルター
１１１  上部被覆部
１１３  めがね孔
１１５  下部被覆部
１１７  凹部
２００  まだら模様
【図１】
0003105983.tif 000003
【図２】
0003105983.tif 000004
【図３】
0003105983.tif 000005
【図４】
0003105983.tif 000006
【図５】
0003105983.tif 000007
【図６】
0003105983.tif 000008